(57)【要約】【課題】  時刻針の回転にともなって日付表示手段の日付表示を変更するようにした電子時計において、構成が簡単で耐久性に優れた電子時計を提供すること。【解決手段】  ２４時検出スイッチ１０２は２４時を検出する。竜頭回転スイッチ１０４は、時刻針を回転させるための竜頭１０３が所定角度正転したときにオンとなり、竜頭回転スイッチ１０５は竜頭１０３が角度逆転したときにオンとなる。制御回路１０６は、竜頭回転スイッチ１０４、１０５のオン動作数に基づいて、竜頭１０３の回転方向が正転か逆転かを判別し、２４時検出スイッチ１０２が２４時を検出したとき、竜頭１０３の回転方向の判別結果に応じた方向に日付表示手段の日付表示を正転又は逆転して、翌日又は前日に変更する。【選択図】  図１
2006153480.tif 000002
【特許請求の範囲】
【請求項１】
時刻針の回転にともなって日付表示手段の日付表示を変更するようにした電子時計において、
前記時刻針を回転させるための操作手段と、２４時を検出するための２４時検出スイッチと、前記操作手段の回転操作に応じてスイッチング動作を行う第１、第２スイッチと、前記第１、第２スイッチのスイッチング動作数に基づいて、前記操作手段の回転方向が正転か逆転かを判別する回転方向判別手段と、前記回転方向判別手段の判別結果に応じて前記日付表示手段の日付表示を変更する制御手段とを備え、
前記制御手段は、前記２４時検出スイッチが２４時を検出したとき、前記回転方向判別手段による前記操作手段の回転方向の判別結果に応じた方向に前記日付表示手段の日付表示を変更することを特徴とする電子時計。
【請求項２】
前記回転方向判別手段は、前記２４時検出スイッチが２４時を検出したときの前記第１、第２スイッチのスイッチング動作数の差に基づいて前記操作手段の回転方向を判別し、
前記制御手段は、前記操作手段の回転方向が正転と判別したときは前記日付表示手段の日付表示を正転させて翌日に変更し、前記操作手段の回転方向が逆転と判別したときは前記日付表示手段の日付表示を逆転させて前日に変更することを特徴とする請求項１記載の電子時計。
【請求項３】
前記第１スイッチは前記操作手段が正方向に所定角度回転操作される毎にオンとなると共に、前記第２スイッチは前記操作手段が逆方向に前記所定角度回転操作される毎にオンとなり、
前記回転方向判別手段は、前記第１、第２スイッチのオン回数の差に基づいて前記操作手段の回転方向を判別することを特徴とする請求項２記載の電子時計。
【請求項４】
前記操作手段は竜頭であることを特徴とする請求項１乃至３のいずれか一に記載の電子時計。
【発明の詳細な説明】
【技術分野】
【０００１】
本発明は、時刻針の回転にともなって日付表示手段の日付表示を変更するようにした電子時計に関する。
【背景技術】
【０００２】
従来から、時計の付加機能として日付表示の機能が設けられており、日付の表示機能において時計の指針の動きに連動して日の進む方向（翌日）への日送り、日の戻る方向（前日）への日送りを判断（正逆判別）するものがある（例えば、特許文献１、特許文献２参照）。
前記特許文献１に記載された電子時計においては、日の正逆回転方向判別用のスイッチを２個設けている。前記２個のスイッチは、時刻修正を行っていない通常の運針時も常時基板と接していることとなり、スイッチの耐久性に問題がある。
また、特許文献２に記載された電子時計においては、スイッチが常時基板には接していないが、スイッチが３個使用されており、時刻修正を行っていないときも１日に３回接点が触れることになり、スイッチの耐久性に問題がある。
【０００３】
【特許文献１】特許第３００２９６９号公報の段落〔０００７〕〜〔００５０〕、図２〜図９
【特許文献１】特開平１１−２０２０６０号公報の段落〔００１６〕〜〔００５５〕、図１〜図９
【発明の開示】
【発明が解決しようとする課題】
【０００４】
本発明は、前記課題を解決するためになされたもので、構成が簡単で耐久性に優れた電子時計を提供することを課題としている。
【課題を解決するための手段】
【０００５】
本発明によれば、時刻針の回転にともなって日付表示手段の日付表示を変更するようにした電子時計において、前記時刻針を回転させるための操作手段と、２４時を検出するための２４時検出スイッチと、前記操作手段の回転操作に応じてスイッチング動作を行う第１、第２スイッチと、前記第１、第２スイッチのスイッチング動作数に基づいて、前記操作手段の回転方向が正転か逆転かを判別する回転方向判別手段と、前記回転方向判別手段の判別結果に応じて前記日付表示手段の日付表示を変更する制御手段とを備え、前記制御手段は、前記２４時検出スイッチが２４時を検出したとき、前記回転方向判別手段による前記操作手段の回転方向の判別結果に応じた方向に前記日付表示手段の日付表示を変更することを特徴とする電子時計が提供される。制御手段は、２４時検出スイッチが２４時を検出したとき、回転方向判別手段による操作手段の回転方向の判別結果に応じた方向に日付表示手段の日付表示を変更する。
【０００６】
ここで、前記回転方向判別手段は、前記２４時検出スイッチが２４時を検出したときの前記第１、第２スイッチのスイッチング動作数の差に基づいて前記操作手段の回転方向を判別し、前記制御手段は、前記操作手段の回転方向が正転と判別したときは前記日付表示手段の日付表示を正転させて翌日に変更し、前記操作手段の回転方向が逆転と判別したときは前記日付表示手段の日付表示を逆転させて前日に変更するように構成してもよい。
【０００７】
また、前記第１スイッチは前記操作手段が正方向に所定角度回転操作される毎にオンとなると共に、前記第２スイッチは前記操作手段が逆方向に前記所定角度回転操作される毎にオンとなり、前記回転方向判別手段は、前記第１、第２スイッチのオン回数の差に基づいて前記操作手段の回転方向を判別するように構成してもよい。
また、前記操作手段は竜頭であるように構成してもよい。
【発明の効果】
【０００８】
本発明によれば、構成が簡単で耐久性に優れた電子時計を提供することが可能になる。また、小型化が可能になるという効果を奏する。
【発明を実施するための最良の形態】
【０００９】
以下、本発明の実施の形態に係る電子時計について説明する。
図１は、本発明の実施の形態に係る電子時計のブロック図である。本実施の形態に係る電子時計は、時刻針（時針、分針あるいは秒針）を回転駆動するモータと日付表示手段を回転駆動するモータとを有する、所謂２モータ方式の電子時計の例である。
図１において、電子時計は、時刻針を回転駆動するための機構である輪列１０１、２４時を検出するための２４時検出スイッチ１０２、操作手段としての竜頭１０３、竜頭１０３の回転方向を検出するための第１、第２スイッチとしての２個の竜頭回転スイッチ１０４、１０５、電子時計の各構成要素及び全体の制御等を行う制御回路１０６、時刻針駆動用のモータ（図示せず）や日送りモータ１０８を回転駆動するためのモータ駆動回路１０７、日付表示手段を回転駆動することによって日付表示手段の日付表示を変更するための日送りモータ１０８、日送りモータの回転を減速する減速輪列１０９、前記減速輪列によって回転駆動され前記日付表示手段の日付表示を変更する日車１１０および計時動作を行う計時回路１１１を有している。
【００１０】
尚、制御回路１０６は、回転方向判別手段及び制御手段を構成している。また、モータ駆動回路１０７、日送りモータ１０８、減速輪列１０９および日車１１０は制御回路１０６とともに、２４時検出スイッチ１０２が２４時を検出したとき、回転方向判別手段による竜頭１０３の回転方向の判別結果に応じた方向に、前記日付表示手段の日付表示を変更する制御手段を構成している。
図２は、２４時検出スイッチ１０２の概略構成を示す構成図である。２４時検出スイッチ１０２は、時刻針駆動用モータ（図示せず）で回転駆動される可動接点２０１と、電子時計内の所定位置に固定された固定接点２０２とを有している。可動接点２０１は、２４時間で１回転する接点であり、２４時になる毎に接点２０１と接点２０２が接触し、２４時検出スイッチ１０２はオンとなる。
【００１１】
図３は、竜頭回転スイッチ１０４、１０５及びこれらの周辺部分の概略を示す構成図である。図３において、竜頭１０３を回転させると、その回転方向に応じた方向に軸３０１が回転し、軸３０１の回転に応じた方向に可動接点３０２が回転する。可動接点３０２の回転方向に応じて、可動接点３０２が、電子時計の所定位置に固定された固定接点３０３又は固定接点３０４に接触し、接触した第１スイッチ（ＲＳＷ＿Ｆ）１０４又は第２スイッチ（ＲＳＷ＿Ｒ）１０５がオンとなる。
【００１２】
尚、スイッチ（ＲＳＷ＿Ｆ）１０４は、竜頭１０３が正方向に所定角度回転（正転）操作される毎にオンとなり又、スイッチ（ＲＳＷ＿Ｒ）１０５は、竜頭１０３が逆方向に前記所定角度回転（逆転）操作される毎にオンとなるように構成されている（例えば、スイッチ１０４、１０５は、各々、竜頭１０３が半回転する毎にオンとなる。）。スイッチ（ＲＳＷ＿Ｆ）１０４をオンにするための竜頭１０３の前記所定回転角度と、スイッチ（ＲＳＷ＿Ｒ）１０５をオンにするための竜頭１０３の前記所定回転角度とは、回転方向は逆であるが、同一角度に設定されている。
【００１３】
図４は、本発明の実施の形態に係る電子時計における時刻修正処理を示すフローチャートであり、主として制御回路１０６の処理を示すフローチャートである。
図６は、本発明の実施の形態に係る電子時計における時刻修正処理及び日付表示変更処理を説明するためのタイミング図である。
時刻修正を行う場合、使用者が所定の操作（例えば、竜頭１０３の引き抜き操作）を行い、制御回路１０６がこれを検出することにより開始する。
【００１４】
時刻修正処理では、先ず図４において、制御回路１０６は、計時回路１１１で計時している現在時刻を読み込み（ステップＳ４０１）、スイッチ（ＲＳＷ＿Ｆ）１０４がオンか否かを判断する（ステップＳ４０２）。制御回路１０６は、ステップＳ４０２においてスイッチ（ＲＳＷ＿Ｆ）１０４がオンではないと判断すると、スイッチ（ＲＳＷ＿Ｒ）１０５がオンか否かを判断する（ステップＳ４０４）。
制御回路１０６は、ステップＳ４０２においてスイッチ（ＲＳＷ＿Ｆ）１０４がオンと判別したときはスイッチ１０４のオン回数Ｆをカウント値としてメモリ（図示せず）に記憶し（ステップＳ４０３）、又、ステップＳ４０４においてスイッチ（ＲＳＷ＿Ｒ）１０５がオンと判別したときはスイッチ１０５のオン回数Ｒをカウント値として前記メモリに記憶する（ステップＳ４０５）。
【００１５】
尚、前述したように、竜頭１０３の回転操作に伴い、スイッチ（ＲＳＷ＿Ｆ）１０４は竜頭１０３が正方向（正転）に所定角度回転操作される毎にオンとなると共に、スイッチ１０５（ＲＳＷ＿Ｒ）は竜頭１０３が逆方向（逆転）に前記所定角度回転操作される毎にオンとなり、制御回路１０６はこのときにスイッチ（ＲＳＷ＿Ｆ）１０４とスイッチ１０５（ＲＳＷ＿Ｒ）がオンになった回数を各々計数して前記メモリに記憶する。
図６（ａ）では、竜頭１０３の正逆回転操作により、スイッチ（ＲＳＷ＿Ｆ）１０４は１２回オンになり又、スイッチ１０５（ＲＳＷ＿Ｒ）は２回オンになったことを示している。また、図６（ｂ）では、竜頭１０３の正逆回転操作により、スイッチ（ＲＳＷ＿Ｆ）１０４は４回オンになり又、スイッチ１０５（ＲＳＷ＿Ｒ）は１０回オンになったことを示している。
【００１６】
次に、制御回路１０６は、スイッチ１０４とスイッチ１０５のオン回数の差（Ｆ−Ｒ）を算出し（ステップＳ４０６）、差（Ｆ−Ｒ）の大小を判断する（ステップＳ４０７）。尚、図６（ａ）の場合は差（Ｆ−Ｒ）＝１０であり又、同図（ｂ）の場合は差（Ｆ−Ｒ）＝−６である。
制御回路１０６は、ステップＳ４０７において、差（Ｆ−Ｒ）がマイナスと判断した場合、即ち、竜頭１０３の回転操作が正転よりも逆転の方に多い場合には（図６（ｂ）の例に相当）、差（Ｆ−Ｒ）に相当する時間だけ時刻の遅れる方に時刻を修正して処理を終了する（ステップＳ４０８）。
また、制御回路１０６は、ステップＳ４０７において、差（Ｆ−Ｒ）がプラスと判断した場合、即ち、竜頭１０３の回転が逆転よりも正転の方に多い場合には（図６（ａ）の例に相当）、差（Ｆ−Ｒ）に相当する時間だけ時刻の進む方に時刻を修正して処理を終了する（ステップＳ４０９）。
【００１７】
次に、日付表示変更処理について説明する。図５は、本発明の実施の形態に係る電子時計における日付表示変更処理を示すフローチャートであり、主として制御回路１０６の処理を示すフローチャートである。
図５において、制御回路１０６は、２４時検出スイッチ１０２がオンか否かを判別し、２４時検出スイッチ１０２がオンでないと判別した場合には処理を終了する（ステップＳ５０１）。
【００１８】
制御回路１０６は、ステップＳ５０１において、２４時検出スイッチ１０２がオンと判別した場合、竜頭１０３の回転方向が時刻の遅れる方向に時刻修正中か否かを判別する（ステップＳ５０２）。ここで、処理ステップＳ５０２は回転方向判別手段を構成している。尚、ステップＳ５０２における時刻の遅れる方向に時刻修正中か否かの判断は、図４のステップＳ４０２〜ステップＳ４０７の時刻修正方向判別処理を行うことによって行われる。
【００１９】
制御回路１０６は、ステップＳ５０２において、竜頭１０３の回転方向が時刻の進む方向に時刻修正中と判断した場合には、モータ駆動回路１０７を制御して日送りモータ１０８に正転駆動パルス（図６（ａ）のパルスＰ１）を供給することによって日車１１０を所定量正転駆動し、日付表示手段の日付表示を正転方向（翌日）に変更する（ステップＳ５０３）。
一方、制御回路１０６は、ステップＳ５０２において、竜頭１０３の回転方向が時刻の遅れる方向に時刻修正中と判断した場合には、モータ駆動回路１０７を制御して日送りモータ１０８に逆転駆動パルス（図６（ｂ）のパルスＰ２）を供給することによって日車１１０を所定量逆転駆動し、日付表示手段の日付表示を逆転方向（前日）に変更する（ステップＳ５０４）。ここで、処理ステップＳ５０３、Ｓ５０４は制御手段を構成している。
制御回路１０６は、ステップＳ５０３及びＳ５０４の後、メモリに記憶されたスイッチ（ＲＳＷ＿Ｆ）１０４及びスイッチ（ＲＳＷ＿Ｒ）１０５のオン回数値を零にリセットして処理を終了する（ステップＳ５０５）。
【００２０】
以上述べたように、本発明の実施の形態に係る電子時計は、時刻針の回転にともなって日付表示手段の日付表示を変更するようにした電子時計において、時刻針の回転にともなって日付表示を変更するようにした電子時計において、前記時刻針を回転させるための竜頭１０３と、２４時を検出するための２４時検出スイッチ１０２と、竜頭１０３の回転操作に応じてスイッチング動作を行う第１、第２スイッチ１０４、１０５と、前記第１、第２スイッチ１０４、１０５のスイッチング動作数に基づいて、竜頭１０３の回転方向が正転か逆転かを判別する回転方向判別手段と、前記回転方向判別手段の判別結果に応じて前記日付表示を変更する制御手段とを備え、前記制御手段は、２４時検出スイッチ１０２が２４時を検出したとき、前記回転方向判別手段による竜頭１０３の回転方向の判別結果に応じた方向に前記日付表示を変更するように構成されている。
【００２１】
ここで、前記回転方向判別手段は、２４時検出スイッチ１０２が２４時を検出したときの第１、第２スイッチ１０４、１０５のスイッチング動作数の差に基づいて竜頭１０３の回転方向を判別し、前記制御手段は、竜頭１０３の回転方向が正転と判別したときは前記日付表示を正転させて翌日に変更し、竜頭１０３の回転方向が逆転と判別したときは前記日付表示を逆転させて前日に変更する。
また、第１スイッチ１０４は竜頭１０３が正方向に所定角度回転操作される毎にオンとなると共に、第２スイッチ１０５は竜頭１０３が逆方向に前記所定角度回転操作される毎にオンとなり、前記回転方向判別手段は、第１、第２スイッチ１０４、１０５のオン回数の差に基づいて竜頭１０３の回転方向を判別するように構成されている。
【００２２】
したがって、２４時間でオンとなるスイッチは２４時検出スイッチ１０２の１個であるため、前述したような３個のスイッチを使用した電子時計や２個のスイッチが常時基板に接触する電子時計に比べて、スイッチの耐久性が向上する。また、輪列に連動してオンするスイッチが２４時検出スイッチ１０２の１個であるため、時計内部の輪列周りのスペースの縮小が可能になり、電子時計の小型化が可能になるという効果を奏する。
【産業上の利用可能性】
【００２３】
電子腕時計のみならず電子置き時計等にも適用可能である。
【図面の簡単な説明】
【００２４】
【図１】本発明の実施の形態に係る電子時計のブロック図である。
【図２】本発明の実施の形態で使用する２４時検出スイッチの構成図である。
【図３】本発明の実施の形態で使用する竜頭回転スイッチ及びこれらの周辺部分の概略構成図である。
【図４】本発明の実施の形態に係る電子時計における時刻修正処理を示すフローチャートである。
【図５】本発明の実施の形態に係る電子時計における日付表示変更処理を示すフローチャートである。
【図６】本発明の実施の形態に係る電子時計における時刻修正処理及び日付表示変更処理を説明するためのタイミング図である。
【符号の説明】
【００２５】
１０１・・・輪列
１０２・・・２４時検出スイッチ
１０３・・・操作手段としての竜頭
１０４・・・第１スイッチとしての竜頭回転スイッチ
１０５・・・第２スイッチとしての竜頭回転スイッチ
１０６・・・回転方向判別手段及び制御手段を構成する制御回路
１０７・・・制御手段を構成するモータ駆動回路
１０８・・・制御手段を構成する日送りモータ
１０９・・・制御手段を構成する減速輪列
１１０・・・制御手段を構成する日車
１１１・・・計時手段としての計時回路
２０１、３０２・・・可動接点
２０２、３０３、３０４・・・固定接点
３０１・・・軸
【図１】
2006153480.tif 000003
【図２】
2006153480.tif 000004
【図３】
2006153480.tif 000005
【図４】
2006153480.tif 000006
【図５】
2006153480.tif 000007
【図６】
2006153480.tif 000008